(57)【要約】【課題】複数の小孔から侵入する静電気ノイズの制御回路基板への流れ込みを防止して、制御回路基板に搭載される電子部品の誤動作を防止することができる遊技機用基板ボックスを提供すること。【解決手段】液晶制御基板３０は液晶ボックス２１、ケース体２３およびスペーサ２４により被包されパチンコ遊技機に配設される。かかる場合に、液晶ボックス２１の各通気孔２１ａ１や各通気孔２１ｂ１から静電気ノイズが侵入すると、その静電気ノイズに伴う電流は各静電気遮蔽部材２６，２６に吸収され、接続コード２８を介してホールド部材３１へと流される。しかも、ホールド部材３１は接続部材３３を介して液晶制御基板３０のグランド３０ｄに接続されるので、ホールド部材３１へ流れ込んだ電流が液晶制御基板３０のグランド３０ｄへ流される。よって、静電気ノイズに伴う電流が液晶制御基板３０に搭載されたＣＰＵ３０ａ等へ直接流れ込むことが防止される。【選択図】図５
2010148931.tif 000002
【特許請求の範囲】
【請求項１】
遊技機等の制御を行う電子部品が搭載される制御回路基板を被包すると共に、壁面に複数の小孔が形成されたボックス体を備えた遊技機用基板ボックスにおいて、
前記複数の小孔が形成された前記ボックス体の壁面に配設されるとともに、導電性材料で網状体に形成され、かつ、その網状体における網目の幅長が前記小孔の内径より小さく形成された静電気遮蔽部材を備えていることを特徴とする遊技機用基板ボックス。
【請求項２】
前記静電気遮蔽部材が配設される前記ボックス体の壁面は光透過性を有する材料で形成されていることを特徴とする請求項１記載の遊技機用基板ボックス。
【請求項３】
前記複数の小孔はニッパなどの工具の刃先より内径が小さく形成され、前記静電気遮蔽部材は前記制御回路基板が被包される前記ボックス体の内側に配設されていることを特徴とする請求項１又は２に記載の遊技機用基板ボックス。
【発明の詳細な説明】
【技術分野】
【０００１】
遊技機等の制御を行う電子部品が搭載された制御回路基板を被包する遊技機用基板ボックスに関するものである。
【背景技術】
【０００２】
パチンコ機およびスロットマシーンなどの遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を搭載したロジック制御回路基板またはマイクロコンピュータを搭載した制御回路基板により行われている。
【０００３】
ところで、近年、制御回路基板から遊技機の遊技内容に関する制御情報が記憶されたＲＯＭを取り外し交換して、遊技機の遊技内容を変更する不正行為が問題になっている。そこで、このような不正行為を防止するために制御回路基板を被包する基板ボックスが種々提案されており、かかる基板ボックスにより制御回路基板に搭載された電子部品に接触することが防止されている。しかも、基板ボックスの壁面には多数の通気孔が形成されており、これらの通気孔によって、制御回路基板に搭載される電源回路などの発熱により加熱された基板ボックス内の空気が外部へ放出される。よって、基板ボックス内の気温上昇が抑制され、制御回路基板に搭載された電子部品の誤動作が防止される。
【発明の概要】
【発明が解決しようとする課題】
【０００４】
しかしながら、上述した制御回路基板を被包する基板ボックスによれば、その壁面に形成された通気孔から静電気などの静電気ノイズが基板ボックス内へ侵入してしまい、この静電気ノイズにより電子部品が誤動作してしまうという問題点があった。
【０００５】
本発明は上述した問題点を解決するためになされたものであり、複数の小孔から侵入する静電気ノイズの制御回路基板への流れ込みを防止して、制御回路基板に搭載される電子部品の誤動作を防止することができる遊技機用基板ボックスを提供することを目的としている。
【課題を解決するための手段】
【０００６】
この目的を達成するために請求項１記載の遊技機用基板ボックスは、遊技機等の制御を行う電子部品が搭載される制御回路基板を被包すると共に、壁面に複数の小孔が形成されたボックス体を備えており、前記複数の小孔が形成された前記ボックス体の壁面に配設されるとともに、導電性材料で網状体に形成され、かつ、その網状体における網目の幅長が前記小孔の内径より小さく形成された静電気遮蔽部材を備えている。
この請求項１記載の遊技機用基板ボックスによれば、遊技機等の制御を行う電子部品が搭載された制御回路基板はボックス体により被包される。このボックス体の壁面には複数の小孔が形成されており、かかる複数の小孔によって、制御回路基板に搭載される電子部品の発熱により加熱されたボックス体内の空気がボックス体外へ放出される。よって、ボックス体内の気温上昇が抑制され、ボックス体内の気温上昇による制御回路基板に搭載される電子部品の誤動作が防止されるのである。
複数の小孔が形成されたボックス体の壁面には静電気遮蔽部材が配設されており、この静電気遮蔽部材は、導電性材料で網状体に形成され、かつ、その網状体の網目の幅長は小孔の内径より小さく形成されている。よって、かかる静電気遮蔽部材により、ボックス体外から各小孔へ侵入する静電気が遮断され、かかる静電気がボックス体内へ侵入することが防止される。
請求項２記載の遊技機用基板ボックスは、請求項１記載の遊技機用基板ボックスにおいて、前記静電気遮蔽部材が配設される前記ボックス体の壁面は光透過性を有する材料で形成されている。
請求項３記載の遊技機用基板ボックスは、請求項１又は２に記載の遊技機用基板ボックスにおいて、前記複数の小孔はニッパなどの工具の刃先より内径が小さく形成され、前記静電気遮蔽部材は前記制御回路基板が被包される前記ボックス体の内側に配設されている。
【発明の効果】
【０００７】
請求項１記載の遊技機用基板ボックスによれば、複数の小孔が形成されたボックス体の壁面に配設される静電気遮蔽部材は、導電性材料で網状体に形成され、かつ、その網状体における網目の幅長が小孔の内径より小さく形成されているので、ボックス体外から各小孔へ侵入する静電気を遮断して、かかる静電気がボックス体内へ侵入することを防止することができる。よって、制御回路基板に搭載される電子部品の誤動作を防止して、これらを正常に動作させることができるという効果がある。
請求項２記載の遊技機用基板ボックスによれば、請求項１記載の遊技機用基板ボックスの奏する効果に加え、静電気遮蔽部材が配設されるボックス体の壁面は光透過性を有する材料で形成され、かつ、静電気遮蔽部材は網状体または格子状に形成されているので、ボックス体に被包される制御回路基板を外部から視認することができる。よって、制御回路基板の検査を行う場合には、ボックス体を開封することなく、制御回路基板がボックス体の外部から視認されるので、制御回路基板の検査作業を簡素化することができるという効果がある。
請求項３記載の遊技機用基板ボックスによれば、請求項１又は２に記載の遊技機用基板ボックスの奏する効果に加え、ボックス体の壁面に形成された複数の小孔はニッパなどの工具の刃先より内径が小さく形成され、かつ、静電気遮蔽部材は制御回路基板を被包するボックス体の内側に配設されるので、ボックス体の外部から小孔内へニッパなどの工具の刃先を挿入して静電気遮蔽部材を切断する行為を防止することができる。よって、例えば、ニッパなどの工具により静電気遮蔽部材を切断し、その切断箇所から針金などの工具を挿入することを防止することができる。このため、かかる針金などの工具により制御回路基板の回路パターンなどの信号線を切断して、遊技機の遊技内容を変更する不正行為を防止することができるという効果がある。
【図面の簡単な説明】
【０００８】
【図１】本発明の遊技機用基板ボックスの一実施例である液晶パネルユニットが使用されるパチンコ遊技機の正面図である。
【図２】遊技盤から取り外された可変表示装置の液晶パネルユニットの外観斜視図である。
【図３】液晶パネルユニットの分解斜視図である。
【図４】液晶ボックスの正面図である。
【図５】図２のＩＶ−ＩＶ線における液晶パネルユニットの側断面図である。
【図６】液晶ボックスの上壁板の拡大平面図である。
【発明を実施するための形態】
【０００９】
以下、本発明の好ましい実施例について、添付図面を参照して説明する。図１は、本発明の遊技機用基板ボックスの一実施例である液晶パネルユニット１０が使用されるパチンコ遊技機１の正面図である。このパチンコ遊技機１は、いわゆる第１種パチンコ遊技機であり、その前面（図１の紙面に対して手前側）には前面枠２が配設されている。この前面枠２は、略矩形額縁状に形成されており、その略中央部分には略矩形状の開口２ａが穿設され、かかる開口２ａの内周には金枠３が周設されている。この金枠３の内側の上方には、２枚のガラス板４ａ，４ｂをそれぞれ装着可能なガラス扉枠４が開閉可能に配設されており、ガラス扉枠４の後方（図１の紙面に対して奥側）には遊技盤５が配置されている。尚、ガラス板４ａはガラス扉枠４の前側部分に装着され、ガラス板４ｂはガラス板４ａの後側部分に装着される。即ち、ガラス板４ａと遊技盤５との間にガラス板４ｂが装着されるのである。
【００１０】
遊技盤５の前面には略円弧状の外レール６が植立され、その外レール６の内側位置には円弧状の内レール７が植立されている。この内レール７および外レール６により囲まれた遊技盤５の前面には、打球（遊技球）が打ち込まれる遊技領域８が形成されており、遊技領域８の周囲には、打球が入賞することにより５個から１５個の打球が賞球として払い出される複数の入賞口９が設けられている。この複数の入賞口９が設けられた遊技領域８の略中央部分には、複数種類の識別情報としての図柄などを表示する液晶（ＬＣＤ）パネルユニット１０を備えた可変表示装置１１が設けられている。
【００１１】
この可変表示装置１１の液晶パネルユニット１０の手前側周囲には、可変表示装置１１の装飾部材を兼ねたセンターフレーム１１ａが周設されており、このセンタフレーム１１ａにより液晶パネルユニット１０の周囲が装飾されている。このセンタフレーム１１ａの上部中央には表示装置の一種である７セグメントＬＥＤ１１ｂが配設されており、この７セグメントＬＥＤ１ｂにより図柄作動ゲート１２を通過した打球数（保留球数）を表示することができる。尚、液晶パネルユニット１０の詳細については後述する。
【００１２】
可変表示装置１１の下方には、図柄作動ゲート（第１種始動口）１２が設けられている。図柄作動ゲート１２を打球が通過することにより、可変表示装置１１の変動表示が開始される。また、図柄作動ゲート１２の下方には可変入賞装置１３が設けられている。この可変入賞装置１３は、遊技盤５に取着可能に形成された本体フレーム１３ａを備えており、その略中央部分には２以上の打球が同時に通過可能な幅広の矩形状の開口である大入賞口の開口１３ｂが穿設されている。この大入賞口の開口１３ｂは、大入賞口の一部を構成しており、可変表示装置１１の変動後の表示結果が予め定められた図柄の組み合わせ（大当たり表示）の１つと一致する場合に、打球が入賞しやすいように所定時間（例えば、３０秒間）経過するまで、又は、所定個数（例えば、１０個）の打球が大入賞口の開口１３ｂへ入賞するまで、開放されるものである。この大入賞口の開口１３ｂの開閉動作の行われ得る状態が、いわゆる所定の遊技価値の付与された状態（特別遊技状態）である。
【００１３】
大入賞口の開口１３ｂには、開閉シャッタ１３ｃが配設されている。この開閉シャッタ１３ｃは、大入賞口の開口１３ｂの形状に適合して形成されており、大入賞口の開口１３ｂを開閉するものである。また、本体フレーム１３ａの前面であって、開閉シャッタ１３ｃの前方にはガード部材１３ｄが配設されている。尚、大入賞口は、大入賞口の開口１３ｂ、開閉シャッタ１３ｃ、ガード部材１３ｄで構成されている。
【００１４】
可変入賞装置１３の下方であって、上述した遊技領域８の最下方には、いずれの入賞口にも入賞しなかった打球を遊技領域８外へ排出するためのアウト口１４が形成されている。このアウト口１４の形成された遊技領域８の前方に配設されるガラス扉枠４の下方には、金枠３に開閉可能に取着された前面扉板（腰板）１５が配設されている。この前面扉板１５の前面には打球を貯留し、かつ、打球発射装置（図示せず）へ打球を供給する上皿１６が配設され、その上皿１６の下方であって、前面枠２の下側部分には上皿１６に貯留しきれなかった打球を貯留するための下皿１７が配設されている。また、下皿１７の右側部分には、打球を遊技領域８へ打ち込むために遊技者により操作される操作ハンドル１８が配設され、かかる操作ハンドル１８の内部には打球発射装置の駆動モータ（図示せず）を回転させるためのスイッチであるハンドルスイッチ１８ａが内蔵されている。
【００１５】
図２は、遊技盤５から取り外された可変表示装置１１の液晶パネルユニット１０の外観斜視図であり、上述したセンターフレーム１１ａを省略して図示している。図２に示すように、液晶パネルユニット１０は、その前方（図２の手前側）に複数種類の識別情報としての図柄などを表示するための液晶モジュール２０と、その液晶モジュール２０後部に取り付けられ後述する液晶制御基板３０（図３参照）などを被包する液晶ボックス２１とを備えている。
【００１６】
液晶モジュール２０は、液晶と偏光板とを組み合わせることにより構成された液晶パネル２２と、その液晶パネル２２が取り付けられるフレーム２３とを備えている。液晶パネル２２は、その前面に平面状の表示画面２２ａが形成されており、この表示画面２２ａに各種画像が表示される。液晶パネル２２は、後述する液晶パネル制御基板３２（図５参照）により液晶に印加される電圧の大きさを変更することによって、その液晶の分子配列が変更され色彩や透明度が変化される性質を有しており、この性質を用いることにより液晶パネル２２の表示画面２２ａに図柄などの画像が表示されるのである。また、液晶パネル２２の前方部分には、光透過性を有する（透明な）ポリカーボネート樹脂などの合成樹脂材料で枠状体に形成されたフレーム２３が覆設されている。このフレーム２３は液晶パネル２２を保護するためのものである。
【００１７】
液晶モジュール２０の後部には、光透過性を有するポリカーボネート樹脂などの合成樹脂材料で枠状体に形成されたスペーサ２４を介して、中空箱状体の液晶ボックス２１がビスなどによりねじ止めされ取り付けられている。この液晶ボックス２１は、液晶モジュール２０の後部に取り付けられ液晶制御基板３０を被包するためのものであり、フレーム２３やスペーサ２４と同様に、光透過性を有するポリカーボネート樹脂などの合成樹脂材料で形成されている。この液晶ボックス２１の上部には、その外壁の一部を構成する略矩形平板状の上壁板２１ａが形成されており、その上壁板２１ａには複数の円形状の通気孔２１ａ１が穿設されている。
【００１８】
次に、図３および図４を参照して、液晶ボックス２１の構造について説明する。図３は、液晶パネルユニット１０の分解斜視図であり、図４は、液晶ボックス２１の正面図である。尚、図３は液晶モジュール２０を省略して図示している。
【００１９】
図３に示すように、液晶ボックス２１は、主に、パチンコ遊技機１の遊技内容を制御するメイン制御基板（図示せず）と液晶パネルユニット１０とを接続するための中継端子板２５と、静電気などの静電気ノイズ（以下、「静電気ノイズ」と称す）が液晶ボックス２１内へ侵入することを防止するための一対の静電気遮蔽部材２６，２６と、その一対の静電気遮蔽部材２６，２６を液晶制御基板３０のグランド３０ｄに電気的に接続するための接続部材２７と、その接続部材２７に電気的に接続される接続コード２８，２９と、液晶パネル２２の表示内容の制御を行う演算装置であるＣＰＵ３０ａを搭載した液晶制御基板３０とを備えている。
【００２０】
液晶ボックス２１の上壁板２１ａには上述した複数の通気孔２１ａ１が穿設されており、これらの通気孔２１ａ１は液晶ボックス２１の内部とそれぞれ連通している。一方、液晶ボックス２１の下部には上壁板２１ａと対向して略矩形平板状の下壁板２１ｂが形成されており、この下壁板２１ｂには複数の円形状の通気孔２１ｂ１が穿設されている。よって、これらの通気孔２１ａ１，２１ｂ１から液晶制御基板３０の電源回路（図示せず）などの発熱により加熱された液晶ボックス２１内の空気を外部へ放出することができる。従って、液晶ボックス２１内の気温上昇は抑制されるので、かかる気温上昇による液晶制御基板３０のＣＰＵ３０ａなどの誤動作を防止することができる。
【００２１】
下壁板２１ｂの両端辺には、それぞれ略矩形平板状の一対の側壁板２１ｃ，２１ｄが立設されており、この一対の側壁板２１ｃ，２１ｄの上端は上壁板２１ａにそれぞれ連設されている。しかも、これらの上壁板２１ａ、下壁板２１ｂおよび側壁板２１ｃ，２１ｄの後端側には略矩形平板状の後壁板２１ｅが連設されており、これらの５枚の上壁板２１ａ、下壁板２１ｂ、側壁板２１ｃ，２１ｄおよび後壁板２１ｅにより、液晶ボックス２１は前方部分が開放された中空箱状体に形成されている。
【００２２】
後壁板２１ｅの前面左縁部分には、液晶ボックス２１の前方へ向けて延出される一対の略矩形平板状のガイド板２１ｆ，２１ｆが側壁板２１ｃ内面と間隔Ｗ１を隔ててそれぞれ立設されている。また、後壁板２１ｅの前面下縁部分には、液晶ボックス２１の前方へ向けて延出される一対の略矩形平板状のガイド板２１ｇ，２１ｇが下壁板２１ｂ内面と間隔Ｗ２を隔ててそれぞれ立設されている。尚、後壁板２１ｅの前面右側部分にも、一対のガイド板２１ｆ，２１ｆが側壁板２１ｄ内面と間隔Ｗ１を隔てて立設されており（図４参照）、後壁板２１ｅの前面上側部分にも、一対のガイド板２１ｇ，２１ｇが上壁板２１ａ内面と間隔Ｗ２を隔てて立設されている（図４参照）。
【００２３】
後壁板２１ｅの前面における左下隅には円柱状の取着部材２１ｈが液晶ボックス２１の前方へ向けて立設されている。この取着部材２１ｈは、後述する静電気遮蔽部材２６を液晶ボックス２１に取着するためのものであり、その前端面には、ビスなどがねじ込まれるねじ穴が凹設されている。取着部材２１ｈの右側には、円柱状の支持部材２１ｉ，２１ｊが液晶ボックス２１の前方へ向けて立設されている。この支持部材２１ｉ，２１ｊは、後述する接続部材２７を支持するためのものであり、その前端面にはビスなどがねじ込まれるねじ穴がそれぞれ凹設されている。尚、取着部材２１ｈは、後壁板２１ｅの前面における左下隅に立設される一方、後壁板２１ｅの前面における他の３隅にも立設されている。即ち、取着部材２１ｈは、後壁板２１ｅの前面における四隅にそれぞれ１つずつ立設されている（図４参照）。
【００２４】
また、液晶ボックス２１の前側縁部分には、かかる液晶ボックス２１を液晶モジュール２０のフレーム２３にねじ止めするための通穴２１ｋが６箇所に穿設されている。これらの通穴２１ｋのうち、４つの通穴２１ｋは、液晶ボックス２１の四隅に穿設されており、残りの２つの通穴２１ｋは上壁板２１ａ内面に凸設されたボス部２１ｍと下壁板２１ｂの内面に突設されたボス部２１ｎとにそれぞれ１つずつ穿設されている（図４参照）。よって、液晶ボックス２１を液晶モジュール２０に取り付ける場合には、これらの各通穴２１ｋに液晶ボックス２１後側から前側へ向けてビスをそれぞれ挿入してフレーム２３へねじ込むことにより、液晶ボックス２１を液晶モジュール２０に取り付けることができる。
【００２５】
後壁板２１ｅの後面には正面視略矩形状の凹部２１ｅ１が凹設されている。この凹部２１ｅ１は矩形平板状に形成された中継端子板２５の外形に適合して凹設されており、かかる中継端子板２５が嵌合可能に形成されている。この中継端子板２５は、液晶パネルユニット１０とパチンコ遊技機１の遊技内容を制御するメイン制御基板（図示せず）とを電気的に接続するためのものであり、その四隅に略円形状の通穴２５ａがそれぞれ穿設されている。これらの通穴２５ａは、中継端子板２５を液晶ボックス２１の凹部２１ｅ１にねじ止めするための穴であり、ビスなどが挿入可能に形成されている。よって、中継端子板２５を凹部２１ｅ１に嵌合し、各通穴２５ａにビスｂ６（図５参照）をそれぞれ挿入してねじ込むことにより、中継端子板２５を液晶ボックス２１の後壁板２１ｅに取り付けることができる。
【００２６】
中継端子板２５の後面、即ち、液晶ボックス２１との対向面の反対側にはメイン制御基板から配線された配線コード（図示せず）が接続されるコネクタ（図示せず）が配設されている。一方、中継端子板２５が取り付けられる後壁板２１ｅにおける凹部２１ｅ１の下方には、左右方向へ向けて幅広に形成された長穴２１ｅ２が穿設されている。この長穴２１ｅ２は中継端子板２５のコネクタと液晶制御基板３０とを接続する配線コード（図示せず）を液晶ボックス２１内へ導入するための開口であり、かかる長穴２１ｅ２から導入される配線コードの一端は液晶制御基板３０に電気的に接続される一方、その他端は中継端子板２５に配設されたコネクタに電気的に接続される。よって、中継端子板２５のコネクタにメイン制御基板から配線される配線コードを接続することにより、メイン制御基板とから出力された制御信号が中継端子板２５を介して液晶パネルユニット１０へ入力され、液晶パネル２２の表示画面２２ａに複数種類の識別情報としての図柄などを表示することができるのである。
【００２７】
一対の静電気遮蔽部材２６，２６は、上壁板２１ａの各通気孔２１ａ１や下壁板２１ｂの各通気孔２１ｂ１から液晶ボックス２１内へ静電気ノイズが侵入することを防止するためのものであり、ステンレス鋼材などの導電性を有する金属製の線材で形成された網状体でそれぞれ構成されている。これらの静電気遮蔽部材２６，２６は、それぞれ略同一形状に形成されており、その一方が液晶ボックス２１の左側部分（図３中、左側）に取り付けられ、その他方が液晶ボックス２１の右側部分（図３中、右側）に取り付けられる。
【００２８】
静電気遮蔽部材２６，２６の一方、即ち、液晶ボックス２１の左側部分に取り付けられる静電気遮蔽部材２６は、正面視略コ字形に折り曲げ形成されており、その上部に矩形平板状の第１網片２６ａが形成されている。この第１網片２６ａの左端には矩形平板状の第２網片２６ｂが下方へ向けて連設されており、この第２網片２６ｂの下端には第１網片２６ａと略平行に第３網片２６ｃが連設されている。また、第１網片２６ａと第２網片２６ｂとの間部分には静電気遮蔽部材２６を液晶ボックス２１の左上隅の取着部材２１ｈにねじ止めするための取着部２６ｄが形成されており、第２網片２６ｂと第３網片２６ｃとの間部分には静電気遮蔽部材２６を液晶ボックス２１の左下隅の取着部材２１ｈにねじ止めするための取着部２６ｅが形成されている。
【００２９】
この静電気遮蔽部材２６（図３中、左側）を液晶ボックス２１に取り付ける場合には、第１網片２６ａが上壁板２１ａとボス部２１ｍより左側に立設されるガイド板２１ｇとの間隙Ｗ２に挿入されて挟み込まれ、第２網片２６ｂが側壁板２１ｃとガイド板２１ｆとの間隙Ｗ１に挿入されて挟み込まれ、第３網片２６ｃが下壁板２１ｂとボス部２１ｎより左側に立設されるガイド板２１ｇとの間隙Ｗ２に挿入されて挟み込まれる。その後、静電気遮蔽部材２６の取着部２６ｄ，２６ｅを液晶ボックス２１の左隅に立設された２つの取着部材２１ｈにそれぞれねじ止めすることにより、静電気遮蔽部材２６の一方（図３中、左側）が液晶ボックス２１内の左側部分に取り付けられる。
【００３０】
よって、かかる静電気遮蔽部材２６の第１網片２６ａにより液晶ボックス２１における上壁板２１ａ内面の左側部分、即ち、ボス部２１ｍより左側の上壁板２１ａ内面を覆うことができる一方、第３網片２６ｃにより液晶ボックス２１における下壁板２１ｂ内面の左側部分、即ち、ボス部２１ｎより左側の上壁板２１ａ内面を覆うことができるのである。
【００３１】
また、静電気遮蔽部材２６，２６の他方、即ち、液晶ボックス２１の右側部分に取り付けられる静電気遮蔽部材２６は、正面視略コ字形に折り曲げ形成されており、その下部に矩形平板状の第１網片２６ａが形成されている。この第１網片２６ａの右端には矩形平板状の第２網片２６ｂが上方へ向けて連設されており、この第２網片２６ｂの上端には第１網片２６ａと略平行に第３網片２６ｃが連設されている。また、第１網片２６ａと第２網片２６ｂとの間部分には静電気遮蔽部材２６を液晶ボックス２１の右下隅の取着部材２１ｈにねじ止めするための取着部２６ｄが形成されており、第２網片２６ｂと第３網片２６ｃとの間部分には静電気遮蔽部材２６を液晶ボックス２１の右上隅の取着部材２１ｈにねじ止めするための取着部２６ｅが形成されている。
【００３２】
この静電気遮蔽部材２６（図３中、右側）を液晶ボックス２１に取り付ける場合には、第１網片２６ａが下壁板２１ｂとボス部２１ｎより右側に立設されるガイド板２１ｇとの間隙Ｗ２に挿入されて挟み込まれ、第２網片２６ｂが側壁板２１ｄとガイド板２１ｆとの間隙Ｗ１に挿入されて挟み込まれ、第３網片２６ｃが上壁板２１ａとボス部２１ｍより右側に立設されるガイド板２１ｇとの間隙Ｗ２に挿入されて挟み込まれる。その後、静電気遮蔽部材２６の取着部２６ｄ，２６ｅを液晶ボックス２１の右隅に立設された２つの取着部材２１ｈにそれぞれねじ止めすることにより、静電気遮蔽部材２６の他方（図３中、右側）が液晶ボックス２１内の右側部分に取り付けられる。
【００３３】
よって、かかる静電気遮蔽部材２６の第１網片２６ａにより液晶ボックス２１における下壁板２１ｂ内面の右側部分、即ち、ボス部２１ｎより右側の下壁板２１ｂ内面を覆うことができると共に、第３網片２６ｃにより液晶ボックス２１における上壁板２１ａ内面の右側部分、即ち、ボス部２１ｍより右側の上壁板２１ａ内面を覆うことができるのである。
【００３４】
接続部材２７は、導電性を有する薄板状の金属材料を折り曲げて形成されており、正面視略コ字形に形成された基部２７ａを備えている。この基部２７ａの左端には前方へ向けて延出された接続部２７ｂが形成されており、この接続部２７ｂは基部２７ａに対して略直角に折り曲げられている。この接続部２７ｂの先端部は、左方へ向けて更に略直角に折り曲げられており、液晶ボックス２１の左側部分に取り付けられる静電気遮蔽部材２６の取付部２６ｅと共に液晶ボックス２１の左下隅における取着部材２１ｈにビスｂ４（図５参照）によりねじ止めされる。また、この接続部２７ｂには、リード線などで構成された接続コード２８の一端側に形成された端子２８ａが接続される。尚、接続コード２８の他端側に形成された端子２８ｂは、後述する液晶パネル２２のホールド部材３１を介して液晶制御基板３０のグランド３０ｄに電気的に接続される（図５参照）。
【００３５】
一方、基部２７ａの右端には前方へ向けて延出された接続部２７ｃが形成されており、この接続部２７ｃは基部２７ａに対して略直角に折り曲げられている。この接続部２７ｃの先端部は、右方へ向けて更に略直角に折り曲げられており、液晶ボックス２１の支持部材２１ｉにビスｂ５（図５参照）によりねじ止めされる。しかも、この接続部２７ｃには、リード線などで構成された接続コード２９の一端側に形成された端子２９ａが接続される。この端子２９ａが接続部２７ｃに接続される接続コード２９の他端側には端子２９ｂが形成されており、この端子２９ｂは、液晶ボックス２１の右側部分に取り付けられる静電気遮蔽部材２６の取付部２６ｄとともに液晶ボックス２１の右下隅における取着部材２１ｈにねじ止めされる。よって、接続部材２７および接続コード２９を介して、一対の静電気遮蔽部材２６，２６を電気的に接続することができる。
【００３６】
また、接続部材２７の基部２７ａの略中央から前方へ向けて延出された取付部２７ｄが形成されており、この取付部２７ｄは基部２７ａに対して略直角に折り曲げられている。この取付部２７ｄの先端は、上方へ向けて更に略直角に折り曲げられており、液晶ボックス２１の支持部材２１ｊにビスｂ５（図５参照）によりねじ止めされる。
【００３７】
液晶制御基板３０は回路用基板であり、その前面には各種電子部品が搭載されている。例えば、液晶制御基板３０の前面には、メイン制御基板から出力された信号に基づいて液晶パネル２２を制御する演算装置であるＣＰＵ３０ａと、そのＣＰＵ３０ａにより実行される各制御プログラムなどを記憶したＲＯＭ３０ｂとが搭載されており、これらのＣＰＵ３０ａとＲＯＭ３０ｂとは、液晶制御基板３０の前面にエッチング処理された複数の信号線３０ｃにより電気的に接続されている。
【００３８】
図５は、図２のＩＶ−ＩＶ線における液晶パネルユニット１０の側断面図である。尚、図５では、液晶制御基板３０に搭載されるＣＰＵ３０ａ、ＲＯＭ３０ｂおよび信号線３０ｃの図示を省略している。
【００３９】
図５に示すように、液晶パネルユニット１０の外周は液晶ボックス２１、液晶モジュール２０のフレーム２３およびスペーサ２４により被包されている。液晶ボックス２１の上壁板２１ａ内面には静電気遮蔽部材２６の第１網片２６ａが対向して配設されており、この第１網片２６ａは上壁板２１ａとガイド部材２１ｇとの間隙Ｗ２に挟み込まれている。一方、液晶ボックス２１の下壁板２１ｂ内面には静電気遮蔽部材２６の第３網片２６ｃが対向して配設されており、この第３網片２６ｃは下壁板２１ｂとガイド部材２１ｇとの間隙Ｗ２に挟み込まれている。しかも、この静電気遮蔽部材２６の取着部２６ｄ，２６ｅは、ビスｂ４により液晶ボックス２１の取着部材２１ｈにそれぞれねじ止めされている。
【００４０】
また、液晶モジュール２０の前部（図５の左側）にはフレーム２３が覆設されており、そのフレーム２３の後方には液晶パネル２２が配設されている。液晶パネル２２の後面（図５中、右側面）には、液晶パネル２２を保持するための側面視略コ字形のホールド部材３１が配設されており、このホールド部材３１は導電性を有する薄板状の金属板で形成されている。ホールド部材３１は、その上端部分および下端部分がフレーム２３の後面にビスｂ１，ｂ１によりそれぞれねじ止めされており、フレーム２３とともに液晶パネル２２を前後方向から挟み込んで保持している。
【００４１】
このホールド部材３１の後面における上端部分および下端部分には後方（図５の右側）へ向けて脚部３１ａ，３１ａがそれぞれ延出されている。これらの脚部３１ａ，３１ａは略薄板平板状の液晶パネル制御基板３２をホールド部材３１に取り付けるためのものであり、各脚部３１ａ，３１ａには液晶パネル制御基板３２の上端部分および下端部分がそれぞれビスｂ２，ｂ２によりそれぞれねじ止めされている。液晶パネル制御基板３２は、液晶制御基板３０のＣＰＵ３０ａから出力された制御信号に基づいて、液晶パネル２２の液晶に印加される電圧値を制御するためのものであり、かかる電圧値を制御するために各種電子部品等で構成された制御回路（図示せず）が搭載されている。
【００４２】
液晶パネル制御基板３２の後方には、上述した液晶制御基板３０が配設されている。この液晶制御基板３０は、その上端部分がホールド部材３１の後面から後方へ向けて延出された脚部３１ｂにビスｂ３によりねじ止めされており、その下端部分が接続部材３３の接続部３３ａにビスｂ３によりねじ止めされている。しかも、液晶制御基板３０における接続部３３ａがねじ止めされた部分には、液晶制御基板３０を接地（アース）するための接地端子であるグランド３０ｄが形成されており、かかるグランド３０ｄに接続部材３３の接続部３３ａが電気的に接続されている。
【００４３】
この接続部材３３は、ホールド部材３１と液晶制御基板３０のグランドとを電気的に接続するためのものであり、導電性を有する金属材料で形成されている。接続部材３３の接続部３３ａの下端には、ホールド部材３１の後面へ向けて延出される基部３３ｂが形成されており、この基部３３ｂの前端（図５中、左端）には下方へ向けて延出された接続部３３ｃが連設されている。しかも、この接続部３３ｃは上述したビスｂ１によりホールド部材３１にねじ止めされており、接続部材３３を介して、ホールド部材３１と液晶制御基板３０のグランド３０ｄとが電気的に接続されている。
【００４４】
また、ホールド部材３１の上端部分は、上述したビスｂ１によって、接続コード２８の端子２８ｂとともにフレーム２３にねじ止めされており、ホールド部材３１と接続コード２８の端子２８ｂとが電気的に接続されている。一方、接続コード２８の端子２８ａは、上述したビスｂ４によって、静電気遮蔽部材２６の取着部２６ｅとともに液晶ボックス２１の取着部材２１ｈにねじ止めされている。よって、接続コード２８、ホールド部材３１および接続部材３３を介して、静電気遮蔽部材２６と液晶制御基板３０のグランド３０ｄとを電気的に接続することができるのである。
【００４５】
次に、図６を参照して、液晶ボックス２１の上壁板２１ａに穿設された複数の通気孔２１ａ１および静電気遮蔽部材２６について説明する。尚、液晶ボックス２１の上壁板２１ａと下壁板２１ｂとは略同一形状に形成されているので、以下、上壁板２１ａと静電気遮蔽部材２６との関係について説明し、下壁板２１ｂと静電気遮蔽部材２６との関係についての説明は省略する。
【００４６】
図６は、液晶ボックス２１の上壁板２１ａの拡大平面図であり、図中の２点鎖線は静電気遮蔽部材２６を図示しており、図中の１点鎖線は通気孔２１ａ１の中心線を図示している。図６に示すように、各通気孔２１ａ１はそれぞれ円形状に形成されており、その内径Ｄは略２ｍｍ以下に形成されている。これらの通気孔２１ａ１のうち、図６の左右方向（図２の左右方向）に隣接する各通気孔２１ａ１の中心間距離は間隔Ｐ１（例えば、略３．５ｍｍ）に形成されており、図６の上下方向（図２の前後方向）に隣接する各通気孔２１ａ１の中心間距離は間隔Ｐ２（例えば、略３ｍｍ）に形成されている。しかも、図６の上下方向に隣接する各通気孔２１ａ１は、その左右方向における中心間距離が間隔Ｐ２に形成されており、この間隔Ｐ２は上述した間隔Ｐ１の略１／２の長さとされている。よって、上壁板２１ａに穿設された複数の通気孔２１ａ１は千鳥状に穿設されるので、上壁板２１ａにより多くの通気孔２１ａ１を穿設することができる。尚、上壁板２１ａに穿設される複数の通気孔２１ａ１と同様に、下壁板２１ｂに穿設される複数の通気孔２１ｂ１も千鳥状に穿設されている。
【００４７】
一方、図６に示すように、上壁板２１ａの内面に配設される静電気遮蔽部材２６は網状体で構成されており、その網状体を形成する金属材料の外径が直径ｄ（例えば、略０．５ｍｍ）に形成されている。この静電気遮蔽部材２６を構成する網状体の網目は菱形状に形成されており、この網目の幅長は間隔Ｗ３（例えば、略１．７ｍｍ）となるように形成され、液晶ボックス２１の各通気孔２１ａ１の内径Ｄより小さく形成されている（Ｗ３＜Ｄ）。よって、図６に示すように、静電気遮蔽部材２６の網状体によって、各通気孔２１ａ１の一部分をくまなく覆うことができる。よって、例えば、かかる通気孔２１ａ１から静電気ノイズが侵入した場合に、かかる静電気ノイズに伴う電流は全て静電気遮蔽部材２６に吸収され、静電気ノイズが静電気遮蔽部材２６を越えて、液晶ボックス２１内部へ直接に侵入することを防止することができる。
【００４８】
次に、図５および図６を参照して、上記のように構成された液晶パネルユニット１０の液晶ボックス２１による静電気ノイズの防止方法について説明する。まず、図５に示す液晶ボックス２１の上壁板２１ａの通気孔２１ａ１や下壁板２１ｂの通気孔２１ｂ１から静電気ノイズが侵入すると、その静電気ノイズに伴う電流が静電気遮蔽部材２６へ流れ込む。静電気遮蔽部材２６へ静電気ノイズに伴う電流が流れ込むと、かかる電流が接続コード２９および接続部材２７を介して、端子２８ａから接続コード２８へ流れ込み、端子２８ｂからホールド部材３１へと流れる。このホールド部材３１は接続部材３３を介して液晶制御基板３０のグランド３０ｄに接続されており、ホールド部材３１へ流れ込んだ電流が液晶制御基板３０のグランド３０ｄへ流れる。よって、静電気ノイズが静電気遮蔽部材２６を越えて、その静電気ノイズに伴う電流が液晶ボックス２１に被包される液晶制御基板３０や液晶パネル制御基板３２上の電子部品や信号線に直接流れ込むことが防止される。しかも、これらの静電気遮蔽部材２６，２６は液晶制御基板３０のグランド３０ｄに電気的に接続されているので、静電気ノイズにより静電気遮蔽部材２６，２６が帯電することが防止され、液晶制御基板３０に搭載されるＣＰＵ３０ａやＲＯＭ３０ｂの誤動作が防止される。
【００４９】
このように本実施例の液晶パネルユニット１０によれば、複数の通気孔２１ａ１，２１ｂ１が穿設された液晶ボックス２１の上壁板２１ａおよび下壁板２１ｂに配設される一対の静電気遮蔽部材２６，２６は、導電を有する金属材料で網状体に形成され、かつ、その網状体における網目の幅長である間隔Ｗ３が通気孔２１ａ１，２１ｂ１の内径Ｄより小さく形成されているので（Ｗ３＜Ｄ）、液晶ボックス２１の上壁板２１ａおよび下壁板２１ｂにおける各通気孔２１ａ１，２１ｂ１の一部分をくまなく覆うことができる。よって、液晶ボックス２１外から各通気孔２１ａ１，２１ｂ１へ静電気ノイズが侵入した場合に、かかる静電気ノイズに伴う電流は静電気遮蔽部材２６，２６へ流れるので、液晶ボックス２１外から各通気孔２１ａ１，２１ｂ１へ侵入した静電気ノイズを遮断することができる。よって、静電気ノイズが静電気遮蔽部材２６，２６を越えて液晶制御基板３０のＣＰＵ３０ａやＲＯＭ３０ｂへ直接到達することが防止されので、ＣＰＵ３０ａやＲＯＭ３０ｂなどの誤動作や破損を防止することができる。しかも、これらの静電気遮蔽部材２６，２６は液晶制御基板３０のグランド３０ｄに電気的に接続されているので、静電気ノイズにより静電気遮蔽部材２６，２６が帯電することが防止され、液晶制御基板３０に搭載されるＣＰＵ３０ａやＲＯＭ３０ｂの誤動作を防止することができる。
【００５０】
液晶モジュール２０のフレーム２３、スペーサ２４および液晶ボックス２１は光透過性を有する合成樹脂材料で形成され、かつ、各静電気遮蔽部材２６，２６は網状体に形成されているので、液晶ボックス２１により被包される液晶制御基板３０を外部から視認することができる。よって、液晶制御基板３０の検査を行う場合には、液晶パネルユニット１０を開封することなく、液晶制御基板３０が液晶パネルユニット１０の外部から視認されるので、液晶制御基板３０上の電子部品等の検査作業を簡素化することができる。
【００５１】
液晶ボックス２１の上壁板２１ａに穿設される複数の通気孔２１ａ１や、下壁板２１ｂに穿設される複数の通気孔２１ｂ１はニッパなどの工具の刃先より内径Ｄが小さく（例えば、略２ｍｍ以下に）形成されているので、液晶ボックス２１の外部からニッパなどの工具の刃先を挿入することを防止することができる。しかも、各静電気遮蔽部材２６，２６は液晶制御基板３０を被包する液晶ボックス２１の内側に配設されるので、液晶ボックス２１の外部から各通気孔２１ａ１，２１ｂ１へニッパなどの工具の刃先を挿入して静電気遮蔽部材２６，２６を切断する行為を防止することができる。よって、例えば、ニッパなどの工具により静電気遮蔽部材２６，２６を切断し、その切断箇所から針金などの工具を挿入することを防止することができる。このため、かかる針金などの工具により液晶制御基板３０の信号線３０ｃを切断して、パチンコ遊技機１の遊技内容を変更する不正行為を防止することができる。
【００５２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５３】
本実施例では、液晶ボックス２１をフレーム２３にねじ止めしたが、例えば、封印ねじ等を用いた各種封印具や封印シールなどの封印手段を液晶パネルユニット１０に適宜配設することにより、液晶パネルユニット１０内に液晶制御基板３０や液晶パネル制御基板３２を封印することができる。このように、封印手段により液晶パネルユニット１０を封印することによって、液晶パネルユニット１０の不正な開封が防止されるので、液晶制御基板３０や液晶パネル制御基板３２を改造してパチンコ遊技機１の遊技内容を変更する不正行為を防止することができる。
【００５４】
また、一対の静電気遮蔽部材２６，２６を備えた液晶ボックス２１は、液晶パネル２２の液晶制御基板３０を被包するために使用されているが、必ずしも液晶制御基板３０を被包するための使用に限定されるものではなく、その他の電子回路基板に対して使用しても良い。例えば、パチンコ遊技機１の遊技内容を制御するメイン制御基板を収納するために使用しても良い。
【００５５】
一対の静電気遮蔽部材２６，２６は、導電性を有する金属材料で網状体で構成されたが、かかる静電気遮蔽部材を構成する材料は、必ずしも網状体に限られるものではなく、例えば、格子幅が液晶ボックスの各通気孔の内径より小さく形成された導電性を有する格子状体であっても良い。即ち、液晶ボックスの各通気孔を完全に塞ぐことなく、部分的に塞ぐことができる導電性を有する部材であれば良い。
【００５６】
一対の静電気遮蔽部材２６，２６は、ステンレス鋼材などの導電性を有する金属材料で網状体に形成されているが、例えば、ピアノ線などで網状体を形成しても良い。
【００５７】
尚、以下に本発明の変形例を示す。遊技機等の制御を行うための電子部品が搭載された制御回路基板を被包すると共に、壁面に複数の小孔が形成されたボックス体を備えた遊技機用基板ボックスにおいて、前記複数の小孔が形成された前記ボックス体の壁面に配設されるとともに、導電性材料で格子状に形成され、かつ、その格子幅が前記小孔の内径より小さく形成された静電気遮蔽部材を備えていることを特徴とする遊技機用基板ボックス１。
【００５８】
遊技機用基板ボックス１、又は、請求項１記載の遊技機用基板ボックスにおいて、前記静電気遮蔽部材が配設される前記ボックス体の壁面は光透過性を有する材料で形成されていることを特徴とする遊技機用基板ボックス２。この遊技機用基板ボックス２によれば、静電気遮蔽部材が配設されるボックス体の壁面は光透過性を有する材料で形成され、かつ、静電気遮蔽部材は網状体または格子状に形成されているので、ボックス体に被包される制御回路基板を外部から視認することができる。よって、制御回路基板の検査を行う場合には、ボックス体を開封することなく、制御回路基板がボックス体の外部から視認されるので、制御回路基板の検査作業を簡素化することができる。
【００５９】
遊技機用基板ボックス１，２、又は、請求項１記載の遊技機用基板ボックスにおいて、前記複数の小孔はニッパなどの工具の刃先より内径が小さく形成され、前記静電気遮蔽部材は前記制御回路基板が被包される前記ボックス体の内側に配設されていることを特徴とする遊技機用基板ボックス３。この遊技機用基板ボックス３によれば、ボックス体の壁面に形成された複数の小孔はニッパなどの工具の刃先より内径が小さく形成され、かつ、静電気遮蔽部材は制御回路基板を被包するボックス体の内側に配設されるので、ボックス体の外部から小孔内へニッパなどの工具の刃先を挿入して静電気遮蔽部材を切断する行為を防止することができる。よって、例えば、ニッパなどの工具により静電気遮蔽部材を切断し、その切断箇所から針金などの工具を挿入することを防止することができる。このため、かかる針金などの工具により制御回路基板の回路パターンなどの信号線を切断して、遊技機の遊技内容を変更する不正行為を防止することができる。
【符号の説明】
【００６０】
１                          パチンコ遊技機（遊技機）
１０                        液晶パネルユニット（遊技機用基板ボックス）
２０                        液晶モジュール
２１                        液晶ボックス（ボックス体の一部）
２１ａ                      上壁板（壁面の一部）
２１ａ１                    通気孔（小孔の一部）
２１ｂ                      下壁板（壁面の一部）
２１ｂ１                    通気孔（小孔の一部）
２２                        液晶パネル
２２ａ                      表示画面
２３                        フレーム（ボックス体の一部）
２４                        スペーサ（ボックス体の一部）
２６                        静電気遮蔽部材
３０                        液晶制御基板（制御回路基板）
３０ａ                      ＣＰＵ（遊技機等の制御を行う電子部品の一部）
３０ｂ                      ＲＯＭ（遊技機等の制御を行う電子部品の一部）
Ｄ                          通気孔の内径（小孔の内径）
Ｗ３                        間隔（網目の幅長）
【図１】
2010148931.tif 000003
【図２】
2010148931.tif 000004
【図３】
2010148931.tif 000005
【図４】
2010148931.tif 000006
【図５】
2010148931.tif 000007
【図６】
2010148931.tif 000008
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
遊技機等の制御を行う電子部品が搭載される制御回路基板を被包すると共に、壁面に複数の小孔が形成されたボックス体を備えた遊技機用基板ボックスにおいて、
前記複数の小孔が形成された前記ボックス体の壁面に配設されるとともに、導電性材料で網状体に形成され、かつ、その網状体における網目の幅長が前記小孔の内径より小さく形成された静電気遮蔽部材を備えていることを特徴とする遊技機用基板ボックス。